(57)【要約】【課題】ブッシングに衝撃等の外力が加えられることを防止して、確実にブッシングを保護するブッシングカバーを提供する。【解決手段】ブッシングカバー１は、ブッシングよりも径が大きい有底筒状のカバー本体２と、カバー本体２の開口端の周縁部に装着されたパッキン４と、カバー本体２をその開口端が電気機器の外面に密着するように取り付けるゴム紐３とを備える。【選択図】図１
2008021758.tif 000002
【特許請求の範囲】
【請求項１】
電気機器の外面に突出して設けられたブッシングを被うブッシングカバーであって、
前記ブッシングよりも径が大きい有底筒状のカバー本体と、
該カバー本体の開口端の周縁部に装着されたパッキンと、
前記カバー本体を、その開口端が前記電気機器の外面に密着するように取り付ける取付手段と
を備えることを特徴とするブッシングカバー。
【請求項２】
前記取付手段は、少なくとも一端が前記カバー本体に接続されたゴム紐であることを特徴とする請求項１記載のブッシングカバー。
【請求項３】
前記カバー本体は透明な材料からなることを特徴とする請求項１又は２記載のブッシングカバー。
【発明の詳細な説明】
【技術分野】
【０００１】
本発明は、例えば変圧器や遮断器のように、外方に突出したブッシングを有する電気機器のブッシングカバーに関する。
【背景技術】
【０００２】
従来、ブッシングカバーとしては、半円形断面の円筒片を止め具で円筒形状に係止して形成される円筒体と、この円筒体の内側に突設され円筒体をブッシングに弾性支持する弾性支持部とを備えたブッシング保護カバーが知られている（特許文献１参照）。かかるブッシングカバーは、電気機器のブッシングに側方から抱き合わせて取り付けられ、弾性支持部がブッシングに加わった軽度の衝撃を吸収するようになっている。
【０００３】
しかしながら、かかるブッシングカバーでは、カバーに加わった外力は弾性支持体を介してブッシング自体に掛かるため、外力がブッシングの根元部分に集中的に作用する。そのため、ブッシングの耐久強度を超えた外力が加わると、ブッシングの根元部分のコルクパッキン等が破損して、例えば変圧器内部の絶縁油が外部に流出してしまうというような不都合が生じる。
【特許文献１】特開平７−２３０９１６号公報
【発明の開示】
【発明が解決しようとする課題】
【０００４】
本発明は、以上の不都合の点に鑑み、ブッシングに衝撃等の外力が加えられることを防止して、確実にブッシングを保護するブッシングカバーを提供することを目的としている。
【課題を解決するための手段】
【０００５】
上記課題を解決するために、本発明のブッシングカバーは、電気機器の外面に突出して設けられたブッシングを被うブッシングカバーであって、前記ブッシングよりも径が大きい有底筒状のカバー本体と、該カバー本体の開口端の周縁部に装着されたパッキンと、前記カバー本体を、その開口端が前記電気機器の外面に密着するように取り付ける取付手段とを備えることを特徴とする。
【０００６】
本発明のブッシングカバーによれば、ブッシングは、これより径の大きいカバー本体によって被われるので、ブッシングとカバー本体との間には所定の間隙が形成される。また、取付手段によりカバー本体の開口端部は、パッキンを介して電気機器の外面に密着して取り付けられる。そのため、ブッシングを被うときは、ブッシングカバーに加えられる外力が専らパッキンと電気機器の外面との密着部分に作用し、ブッシング自体には外力の作用が回避されるので、ブッシングカバーに大きい外力が加えられてもブッシングを確実に保護することができる。
【０００７】
また、ブッシングを被うカバー本体はパッキンを介して電気機器の外面に密着しているため、万一、ブッシングに不具合が生じて電気機器の内部の油等が漏れ出した場合にも、漏油がカバー本体内の前記間隙に溜まり、外部への流出を防ぐことができる。
【０００８】
さらに、カバー本体は、ブッシングを被う場合に限らず、電気機器の外壁面の一部を被うように取り付けることができる。そのため、電気機器の外周面において、ブッシング以外の部分に亀裂や破損が生じたとしても、その部分にカバー本体の開口端を密着させて被うことにより、電気機器の内部から漏れ出てくる漏油を本体内に取り込み、外部への流出を防止することができる。
【０００９】
本発明のブッシングカバーにおいて、前記取付手段は、少なくとも一端が前記カバー本体に接続されたゴム紐であることが好ましい。これにより、一又は複数のゴム紐でカバー本体を電気機器の周囲に簡易に取り付けることができるとともに、ゴム紐の張力でパッキンを電気機器の外面に密着させることができる。
【００１０】
また、本発明のブッシングカバーにおいて、前記カバー本体は、透明な材料からなることが好ましい。これにより、カバー本体で覆われたブッシング又は電気機器の外側部分の状態を外部から視認することができる。そのため、カバー本体とブッシングの間隙の大きさを確認することや、電気機器内部から漏れ出てカバー本体内に取り込まれた油の量や状態を認識することができる。
【発明を実施するための最良の形態】
【００１１】
図１に示すように、一実施形態のブッシングカバー１は、電気機器（例えば、図２に示すような変圧器）のブッシングを被うカバー本体２と、カバー本体２を電気機器の周囲に取り付けるための複数のゴム紐３とを備える。
【００１２】
カバー本体２は、透明な合成樹脂製の部材であって、ブッシングよりも大径の有底筒状の形状を成している。カバー本体２は、その開口端の周縁部に、軟質ゴム製の環状のパッキン４が装着されている。また、カバー本体２の外周には、溝部５（図３参照）が形成されており、溝部にＯリング６が嵌め込まれている。
【００１３】
ゴム紐３は、伸縮性のあるゴム製の部材からなり、両端に端部を折り返すことによりゴム紐３の長さを調整することができる長さ調整部材７が設けられている。ゴム紐３の一端側は、折返部でＯリング６を一巻きするようにしてカバー本体２に接続され、他端側は、折返部でＳ字フック８の一端に接続されている。
【００１４】
次に、ブッシングカバー１の使用方法について説明する。
【００１５】
図２に示すように、ブッシングカバー１は、例えば変圧器ＡのブッシングＢに取り付けられて、変圧器Ａの輸送、設置や撤去の際にブッシングＢを保護することに用いられる。
【００１６】
詳細には、まず、変圧器Ａの輸送、設置や撤去に関連する作業者は、変圧器Ａのサイズに合わせて、長さ調節部材７によりゴム紐３の長さが変圧器Ａの外周の長さ程度となるように大まかに調整する。
【００１７】
なお、変圧器の形状は種々であるため、ブッシングＢの変圧器Ａからの突出方向等に応じて、ゴム紐３とＯリング６との接続位置を調整してもよい。ゴム紐３とＯリング６との接続位置の調整は、Ｏリング６を一度、カバー本体２から外した上でゴム紐３の巻き位置をスライドさせることによって行うことができる。
【００１８】
次いで、作業者は、ブッシングＢを被うようにカバー本体２を被せる。このとき、カバー本体２は透明で内部が透けて見えるため、作業者は、ブッシングＢとカバー本体２の内壁とが接触することなく、一定の大きさの間隙が形成されるように、ブッシングＢをカバー本体２で被うことができる。
【００１９】
そして、作業者は、ゴム紐３を変圧器Ａの周囲に巻きつけて、その両端のＳ字フック８を互いに係合させることによりカバー本体を変圧器Ａに取り付ける。このとき、ゴム紐３の長さを、長さ調節部材７によって再調節することで、カバー本体２を変圧器Ａに適当な張力で取り付けることができる。また、ゴム紐３を変圧器Ａの周囲に巻きつける代わりに、ゴム紐３またはＳ字フック８を変圧器Ａの突出部Ｃ等に係合させて、カバー本体２を変圧器Ａに取り付けるようにすることができる。
【００２０】
図３に示すように、変圧器Ａにカバー本体２が取り付けられると、ブッシングＢとカバー本体２との間に前記間隙が形成されるとともに、カバー本体２の開口端部がパッキン４を介して変圧器Ａの外面に密着する。そのため、カバー本体２に掛かった外力はパッキンと変圧器Ａの外面との密着部に作用し、ブッシングＢ自体に外力が作用することが回避され、確実にブッシングＢを保護することができる。また、ブッシングＢからの変圧器Ａ内部の油等が漏れ出した場合にも、パッキン４が変圧器Ａの外面に密着しているため、漏油がカバー本体２内の前記間隙に溜まり、外部への流出を阻止できる。
【００２１】
一方、ブッシングカバー１を変圧器Ａから取り外す際には、作業者は、ゴム紐３のＳ字フック８の係合を解くことで、簡単にカバー本体２をブッシングＢから外して分離することができる。
【００２２】
以上、本発明の一実施形態について説明したが、本発明は、これに限られるものではない。例えば、カバー本体は、ブッシングを被うように変圧器に取り付けられたが、例えば、変圧器の側壁の一部を被うように、変圧器の周囲に取り付けることも可能である。
【００２３】
また、図示の例ではカバー本体に接続されるゴム紐は２本用いられているが、これに限られるものではなく、１本のゴム紐を用いてその両端をカバー本体に接続する、或いは、３本以上のゴム紐を用いてカバー本体を変圧器に取り付けるようにしてもよい。
【００２４】
カバー本体を変圧器に取り付ける手段は、図示のようなゴム紐に限らず、パッキンを変圧器の外面に密着させるもの、例えば、パッキンの端部全周に渡って貼られた両面テープ等であってもよい。
【図面の簡単な説明】
【００２５】
【図１】実施形態のブッシングカバーを示す斜視図。
【図２】実施形態のブッシングカバーの使用状態を示す図。
【図３】図２の要部を拡大して示す断面図。
【符号の説明】
【００２６】
１…ブッシングカバー、２…カバー本体、３…ゴム紐、４…パッキン、Ａ…変圧器、Ｂ…ブッシング。
【図１】
2008021758.tif 000003
【図２】
2008021758.tif 000004
【図３】
2008021758.tif 000005